(57)【特許請求の範囲】
【請求項１】
前面に上下一対のカード挿入口を設け、各カード挿入口へ異なる種類のカードを挿入して挿着するようにした端末機において、一対のカード挿入口の一方のカード挿入口を閉じると共に他方のカード挿入口にカードが挿入されることによって一方のカード挿入口を開く誤挿入防止機構を設けて成ることを特徴とする端末機へのカード誤挿入防止構造。
【請求項２】
カード挿入口の後側において上下のカード挿入口の間の位置で上下回動自在に枢支される回動体と、枢支点より一方の端部寄りの位置において回動体に上下のカード挿入口のうち一方のカード挿入口の背方に突出させて設けられた挿入阻止板と、枢支点より他方の端部寄りの位置において回動体に他方のカード挿入口の背方に突出させて設けられ、前面に先端側へ向けカードの挿入方向側へ傾斜する傾斜面を設けた回動ガイド板とを具備して誤挿入防止機構を形成し、上記他方のカード挿入口に挿入されたカードの先端が回動ガイド板の傾斜面に当接することによって回動体が回動して挿入阻止板が上記一方のカード挿入口の背方位置から退避するようにして成ることを特徴とする請求項１に記載の端末機へのカード誤挿入防止構造。
【請求項３】
カード挿入口の後側において上下のカード挿入口の間の位置で上端部がカード挿入口の側へ倒れるように起倒回動自在に立直状態で枢支され、上下の端部のうち一方の端部に上下のカード挿入口のうち一方のカード挿入口の背方に突出する挿入阻止部を設けると共に他方の端部に他方のカード挿入口の背方に突出する押圧部を設けたレバー板で誤挿入防止機構を形成し、上記他方のカード挿入口に挿入されたカードの先端がレバー板の押圧部に当接することによってレバー板が回動して挿入阻止部が上記一方のカード挿入口の背方位置から退避するようにして成ることを特徴とする請求項１に記載の端末機へのカード誤挿入防止構造。
【請求項４】
カード挿入口の後側において上下方向に移動自在に配設され、上下方向の中央部に連通口が、上下の端部のうち一方の端部に上下のカード挿入口のうち一方のカード挿入口の背方に突出する挿入阻止部が、他方のカード挿入口の背方に突出する他方の端部の前面に先端側へ向けカードの挿入方向側へ傾斜する傾斜面がそれぞれ設けられたシャッター板で誤挿入防止機構を形成し、上記他方のカード挿入口に挿入されたカードの先端がシャッター板の傾斜面に当接することによってシャッター板が上下方向に移動して、挿入阻止部が上記一方のカード挿入口から退避すると共に連通口がこの一方のカード挿入口の背方に位置するようにして成ることを特徴とする請求項１に記載の端末機へのカード誤挿入防止構造。
【請求項５】
上下方向に移動したシャッター板を連通口が上下のカード挿入口の間に位置するように復帰させるバネをシャッター板に設けて成ることを特徴とする請求項４に記載の端末機へのカード誤挿入防止構造。
【請求項６】
上下方向に移動したシャッター板を連通口が上下のカード挿入口の間に位置するように復帰させるバネ片をシャッター板に一体に設けて成ることを特徴とする請求項４に記載の端末機へのカード誤挿入防止構造。
【請求項７】
カード挿入口の後側において上下のカード挿入口の端部に横方向に移動自在に配設され、上下の端部のうち一方の端部に上下のカード挿入口のうち一方のカード挿入口の背方に位置する挿入阻止部を設けると共に他方のカード挿入口の背方に位置する他方の端部の前面に内側へ向けカードの挿入方向側へ傾斜する傾斜面を設けた端部シャッター板で誤挿入防止機構を形成し、上記他方のカード挿入口に挿入されたカードの先端の角部が端部シャッター板の傾斜面に当接することによって端部シャッター板がカード挿入口の側方へ移動して挿入阻止部が上記一方のカード挿入口の背方位置から退避するようにして成ることを特徴とする請求項１に記載の端末機へのカード誤挿入防止構造。
【請求項８】
カード挿入口の側方へ移動した端部シャッター板を上下のカード挿入口の端部位置に復帰させるバネを端部シャッター板に設けて成ることを特徴とする請求項７に記載の端末機へのカード誤挿入防止構造。
【請求項９】
カード挿入口の側方へ移動した端部シャッター板を上下のカード挿入口の端部位置に復帰させるバネ片を端部シャッター板に一体に設けて成ることを特徴とする請求項７に記載の端末機へのカード誤挿入防止構造。
【発明の詳細な説明】
【０００１】
【発明の属する技術分野】
本発明は、情報端末機などの端末機へのメモリーカードなどのカード誤挿入防止構造に関するものである。
【０００２】
【従来の技術】
タクシーなどにおいてモバイルの情報端末機を搭載し、この端末機にＩＣカードその他のメモリーカードなどのカードを差し込んで端末機とカードの間でデータを入出力させるようにすることが行なわれている。例えば、カードに書き込まれた顧客情報などを端末機に読み取らせたり、走行の記録や売上げの記録を端末機からカードに書き込ませたりすることによって、タクシーの運行の効率を高めることができるものである。
【０００３】
そしてこのような端末機１として、図１３に示すように上下一対のカード挿入口２，３を設けたものがある。図１３において３０は、カード挿入口２，３に差し込んだカード４，５をカード挿入口２，３から押し出し操作するエジェクトボタンである。また３１は端末機１の前面に左右スライド自在に設けられたカードカバーであり、図１３（ｂ）のようにカード挿入口２，３にカード４，５を差し込んだ後に、カードカバー３１をスライドさせてエジェクトボタン３０及びカード挿入口２，３から突出するカード４，５の端部をカードカバー３１で覆い、振動等の作用でカード４，５がカード挿入口２，３から抜けることを防止するようにしたものである。
【０００４】
この上下一対の各カード挿入口２，３にはそれぞれ異なる種類のカード４，５が挿入されるものであり、例えば上のカード挿入口２にはカード４を、下のカード挿入口３にはカード５を挿入するようにする必要がある。端末機１内には各カード挿入口２，３に対応してコネクターが設けられており、カード挿入口２に対応するコネクターにはカード４の端子部に適合した配置で電極ピンが、カード挿入口３に対応するコネクターにはカード５の端子部に適合した配置で電極ピンがそれぞれ設けられており、カード挿入口２，３に挿入するカード４，５を間違えると、これらのコネクターの電極ピンが破損され、故障の原因になるものである。
【０００５】
そこで、図１４に示すように、２種類のカード４，５のうち、一方のカード４の先端部の側端に断面三角形状に切除した態様の切欠部３２を設けると共に、図１５に示すように、他方のカード５の先端部の側端に断面四角形状に切除した態様の切欠部３３を設け、さらに、カード挿入口２からカード４が挿入される端末機１内のカード挿着部３４の奥の端部に図１６（ａ）のように断面三角形状のストッパー３６を設けると共に、カード挿入口３からカード５が挿入される端末機１内のカード挿着部３５の奥の端部に図１６（ｂ）のように断面四角形状のストッパー３７を設けるようにしてある。そして、三角形状のストッパー３６には三角形状の切欠部３２が合致するので、カード挿入口２に挿入したカード４をカード挿着部３４の奥まで差し込むことができると共に、四角形状のストッパー３７には四角形状の切欠部３３が合致するので、カード挿入口３に挿入したカード５をカード挿着部３５の奥まで差し込むことができるが、カード挿入口３にカード４を挿入しようとしても、カード挿着部３５の四角形状のストッパー３７をカード４の三角形状の切欠部３２は通過することができず、カード４の先端がストッパー３７に当たって、カード４をカード挿着部３５の奥まで差し込むことはできない。
【０００６】
このように、カード挿入口２に挿入すべきカード４をカード挿入口３に誤って差し込むことを防ぐことができるものである。
しかしこのものでは、カード挿入口３に挿入すべきカード５をカード挿入口２に誤って挿入した場合、カード５の四角形状の切欠部３３はカード挿着部３４の三角形状のストッパー３６を通過することができるので、カード５をカード挿着部３４の奥まで差し込むことが可能であり、カード挿入口２に誤って挿入されたカード５によって、このカード挿入口２に対応して設けたコネクターの電極ピンが破損されるおそれがあるという問題があった。
【０００７】
【発明が解決しようとする課題】
従って本発明は、一対のカード挿入口のうち、一方のカード挿入口には２種類のカードの両方が差込み可能であり、他方のカード挿入口には２種類のカードのうち一方のみが差込み可能な端末機において、他方のカード挿入口に差込み可能なカードが挿入されないと、一方のカード挿入口にカードを挿入することができないようにして、カードの誤挿入を防止するようにした端末機へのカード誤挿入防止構造を提供することを目的とするものである。
【０００８】
【課題を解決するための手段】
本発明に係る端末機へのカード誤挿入防止構造は、前面に上下一対のカード挿入口２，３を設け、各カード挿入口２，３へ異なる種類のカード４，５を挿入して挿着するようにした端末機１において、一対のカード挿入口２、３の一方のカード挿入口２を閉じると共に他方のカード挿入口３にカード５が挿入されることによって一方のカード挿入口２を開く誤挿入防止機構６を設けて成ることを特徴とするものである。
【０００９】
また請求項２の発明は、カード挿入口２，３の後側において上下のカード挿入口２，３の間の位置で上下回動自在に枢支された回動体７と、枢支点より一方の端部寄りの位置において回動体７に上下のカード挿入口２，３のうち一方のカード挿入口２の背方に突出させて設けられた挿入阻止板８と、枢支点より他方の端部寄りの位置において回動体７に他方のカード挿入口３の背方に突出させて設けられ、前面に先端側へ向けカード５の挿入方向側へ傾斜する傾斜面９を設けた回動ガイド板１０とを具備して誤挿入防止機構６を形成し、上記他方のカード挿入口３に挿入されたカード５の先端が回動ガイド板１０の傾斜面９に当接することによって回動体７が回動して挿入阻止板８が上記一方のカード挿入口２の背方位置から退避するようにして成ることを特徴とするものである。
【００１０】
また請求項３の発明は、カード挿入口２，３の後側において上下のカード挿入口２，３の間の位置で上端部がカード挿入口２，３の側へ倒れるように起倒回動自在に立直状態で枢支され、上下の端部のうち一方の端部に上下のカード挿入口２，３のうち一方のカード挿入口２の背方に突出する挿入阻止部１１を設けると共に他方の端部に他方のカード挿入口３の背方に突出する押圧部１２を設けたレバー板１３で誤挿入防止機構６を形成し、上記他方のカード挿入口３に挿入されたカード５の先端がレバー板１３の押圧部１２に当接することによってレバー板１３が回動して挿入阻止部１１が上記一方のカード挿入口２の背方位置から退避するようにして成ることを特徴とするものである。
【００１１】
また請求項４の発明は、カード挿入口２，３の後側において上下方向に移動自在に配設され、上下方向の中央部に連通口１４が、上下の端部のうち一方の端部に上下のカード挿入口２，３のうち一方のカード挿入口２の背方に突出する挿入阻止部１５が、他方のカード挿入口３の背方に突出する他方の端部の前面に先端側へ向けカード５の挿入方向側へ傾斜する傾斜面１６がそれぞれ設けられたシャッター板１７で誤挿入防止機構６を形成し、上記他方のカード挿入口３に挿入されたカード５の先端がシャター板１７の傾斜面１６に当接することによってシャッター板１７が上下方向に移動して、挿入阻止部１５が上記一方のカード挿入口２の背方位置から退避すると共に連通口１４がこの一方のカード挿入口２の背方に位置するようにして成ることを特徴とするものである。
【００１２】
また請求項５の発明は、上下方向に移動したシャッター板１７を連通口１４が上下のカード挿入口２，３の間に位置するように復帰させるバネ１８をシャッター板１７に設けて成ることを特徴とするものである。
また請求項６の発明は、上下方向に移動したシャッター板１７を連通口１４が上下のカード挿入口２，３の間に位置するように復帰させるバネ片１９をシャッター板１７に一体に設けて成ることを特徴とするものである。
【００１３】
また請求項７の発明は、カード挿入口２，３の後側において上下のカード挿入口２，３の端部に横方向に移動自在に配設され、上下の端部のうち一方の端部に上下のカード挿入口２，３のうち一方のカード挿入口２の背方に位置する挿入阻止部２０を設けると共に他方のカード挿入口３の背方に位置する他方の端部の前面に内側へ向けカード５の挿入方向側へ傾斜する傾斜面２１を設けた端部シャッター板２２で誤挿入防止機構６を形成し、上記他方のカード挿入口３に挿入されたカード５の先端の角部が端部シャッター板２２の傾斜面２１に当接することによって端部シャッター板２２がカード挿入口２，３の側方へ移動して挿入阻止部２１が上記一方のカード挿入口２の背方位置から退避するようにして成ることを特徴とするものである。
【００１４】
また請求項８の発明は、カード挿入口２，３の側方へ移動した端部シャッター板２２を上下のカード挿入口２，３の端部位置に復帰させるバネ２３を端部シャッター板２２に設けて成ることを特徴とするものである。
また請求項９の発明は、カード挿入口２，３の側方へ移動した端部シャッター板２２を上下のカード挿入口２，３の端部位置に復帰させるバネ片２４を端部シャッター板２２に一体に設けて成ることを特徴とするものである。
【００１５】
【発明の実施の形態】
以下、本発明の実施の形態を説明する。
情報端末機などの端末機１のハウジング４０の前面に上下一対のカード挿入口２，３が設けてあり、各カード挿入口２，３は横長スロット状の開口として形成してある。また各カード挿入口２，３の側方位置において、カード挿入口２，３に差し込んだメモリーカードなどのカード４，５をカード挿入口２，３から押し出し操作するエジェクトボタン３０が設けてある。
【００１６】
図１及び図３は請求項２の発明の実施の形態の一例を示すものであり、上下のカード挿入口２，３の間の位置においてハウジング４０の内面に一対の軸４１が突設してある。この各軸４１には回動体７の中央部が回動自在に枢支してある。回動体７はカード４，５の挿入方向と垂直な面で上下方向に回動自在になっており、カード挿入口３にカード５を挿入していないときには回動体７が水平姿勢を保って、カード挿入口２，３の長手方向と略平行になるようにしてある。重量バランスを利用したり、バネ等を利用したりして、回動体７の水平姿勢を保つようにすることができる。
【００１７】
また回動体７の一方の端部には上方へ挿入阻止板８を突出して設けてあり、回動体７の他方の端部には下方へ回動ガイド板１０が下方へ突出して設けてある。回動体７が水平姿勢にある状態では、挿入阻止板８の上部は上のカード挿入口２の背方に位置しており、この挿入阻止板８の前面はカード４の挿入方向と垂直な面に形成してある。同様に回動体７が水平姿勢にある状態では、回動ガイド板１０の下部は下のカード挿入口３の背方に位置しており、この回動ガイド板１０の前面は先端（下端）側へ向けカード５の挿入方向側へ傾斜する、すなわち先端（下端）側程後方へ変位する傾斜面９に形成してある。この傾斜面９はＣ面取り状に形成する他、Ｒ面取り状に形成してもよい。
【００１８】
上記のような挿入阻止板８や回動ガイド板１０を設けた回動体７によって誤挿入防止機構６を形成することができるものであり、このものにあって、通常時は図１（ａ）（ｂ）のように挿入阻止板８が上のカード挿入口２の背方に位置しているので、カード挿入口２は挿入阻止板８で閉じられている。この上のカード挿入口２には２種類のカード４，５のいずれも挿入可能であるが、カード挿入口２にカード５を誤って挿入しようとしても、挿入阻止板８で阻止されて挿入することができない。一方、下のカード挿入口３には２種類のカード４，５のうち、カード５しか奥まで差し込むことができないので、カード挿入口３に誤ってカード４を差し込むおそれはない。
【００１９】
従って、端末機１に２種類のカード４，５を挿着するにあたっては、まず下のカード挿入口３にカード５を挿入する。下のカード挿入口３にカード５を挿入すると、カード５の先端がカード挿入口３の背方に位置している回動ガイド板１０の傾斜面９に当接し、カード５の先端で傾斜面９が押圧される。回動ガイド板１０は軸４１から偏心した位置にあるので、このように回動ガイド板１０の傾斜面９が押圧されると回動ガイド板１０が押し上げられて回動体７が回動し、回動ガイド板１０は下のカード挿入口３の背方位置から上方へ移動して図２（ａ）（ｂ）のようにカード５を端末機１内に差し込むことができ、下のカード挿入口３に対応して端末機１内に設けられているコネクター４４にカード５を接続することができる。そしてこのように回動体７が回動すると、回動ガイド板１０と反対側の端部に設けた挿入阻止板８が下がって、図２（ａ）（ｂ）に示すように挿入阻止板８が上のカード挿入口２の背方位置から下方へ退避し、カード挿入口２が開放される。２種類のカード４，５のうちカード５は既に下のカード挿入口３に差し込んでいるので、残ったカード４を上のカード挿入口２に挿入して端末機１に差込み、上のカード挿入口２に対応して端末機１内に設けられているコネクター４３にカード４を接続することができる。このようにして、２種類のカード４，５のうち、カード４は上のカード挿入口２に、カード５は下のカード挿入口３に、誤挿入することなく挿入することができるものである。
【００２０】
図３及び図４は請求項３の発明の実施の形態の一例を示すものであり、カード挿入口２，３の背方位置においてハウジング４０内にレバー板１３が回動自在に配置してある。レバー板１３は上下のカード挿入口２，３の間の高さ位置に配置した軸４６に枢支して、前後方向に起倒回動自在にしてあり、カード挿入口３にカード５を挿入していないときにはレバー板１３は立直状態を保つようにしてある。重量バランスによってレバー板１３の立直状態を保つことができるが、レバー板１３の上端の背面が当接されるストッパー片４７をハウジング４０から垂下して設けることによって、レバー板１３の上部が端末機１の奥へ移動するように回動することは阻止されるようにしてある。この立直状態ではレバー板１３の上端部は挿入阻止部１１として上のカード挿入口２の背方に位置しており、この挿入阻止部１１の前面はカード４の挿入方向と垂直な面に形成してある。同様にレバー板１３が立直状態では、レバー板１３の下端部は押圧部１２として下のカード挿入口３の背方に位置しており、この押圧部１２の前面は先端（下端）側へ向けカード５の挿入方向側へ傾斜する、すなわち先端（下端）側程後方へ変位する傾斜面に形成してある。この押圧部１２の傾斜面はＣ面取り状に形成する他、Ｒ面取り状に形成してもよい。
【００２１】
上記のような挿入阻止部１１や押圧部１２を設けたレバー板１３によって誤挿入防止機構６を形成することができるものであり、このものにあって、通常時は図３（ａ）（ｂ）のように挿入阻止部１１が上のカード挿入口２の背方に位置しているので、カード挿入口２は挿入阻止部１１で閉じられている。この上のカード挿入口２には２種類のカード４，５のいずれも挿入可能であるが、カード挿入口２にカード５を誤って挿入しようとしても、挿入阻止部１１で阻止されて挿入することができない。一方、下のカード挿入口３には２種類のカード４，５のうち、カード５しか奥まで差し込むことができないので、カード挿入口３に誤ってカード４を差し込むおそれはない。
【００２２】
従って、端末機１に２種類のカード４，５を挿着するにあたっては、まず下のカード挿入口３にカード５を挿入する。下のカード挿入口３にカード５を挿入すると、カード５の先端がカード挿入口３の背方に位置しているレバー板１３の押圧部１２に当接し、カード５の先端で押圧部１２が押圧される。このようにレバー板１３の押圧部１２が押圧されると、押圧部１２が押し上げられるようにレバー板１３が回動し、押圧部１２は下のカード挿入口３の背方位置から上方へ移動して図４（ａ）（ｂ）のようにカード５を端末機１内に差し込むことができ、下のカード挿入口３に対応して端末機１内に設けられているコネクター４４にカード５を接続することができる。そしてこのようにレバー板１３が回動すると、レバー板１３の上端部の挿入阻止部１１がカード挿入口２，３の側へ倒れて下がり、図４（ａ）（ｂ）に示すように挿入阻止部１１が上のカード挿入口２の背方位置から下方へ退避し、カード挿入口２が開放される。２種類のカード４，５のうちカード５は既に下のカード挿入口３に差し込んでいるので、残ったカード４を上のカード挿入口２に挿入して端末機１に差込み、上のカード挿入口２に対応して端末機１内に設けられているコネクター４３にカード４を接続することができる。このようにして、２種類のカード４，５のうち、カード４は上のカード挿入口２に、カード５は下のカード挿入口３に、誤挿入することなく挿入することができるものである。
【００２３】
図５及び図６は請求項４の発明の実施の形態の一例を示すものであり、カード挿入口２，３の後側においてハウジング４０の内面にシャッター板１７が上下回動自在に配設してある。図５は自重でシャッター板１７が最も下がった状態を示すものであり、この最も下がった状態ではシャッター板１７の上端部は挿入阻止部１５として上のカード挿入口２の背方に位置しており、この挿入阻止部１５の前面はカード４の挿入方向と垂直な面に形成してある。同様に最も下がった状態ではシャッター板１７の下端部は下のカード挿入口３の背方に位置しており、このシャッター板１７の下端部の前面は先端（下端）側へ向けカード５の挿入方向側へ傾斜する、すなわち先端（下端）側程後方へ変位する傾斜面１６に形成してある。この傾斜面１６はＣ面取り状に形成する他、Ｒ面取り状に形成してもよい。さらにこのシャッター板１７が最も下がった状態ではシャッター板１７の上下の中央部は上下のカード挿入口３，４の間に位置しており、このシャッター板１７の上下の中央部には連通口１４が形成してある。連通口１４はカード挿入口３，４と同じかやや大きい横長のスロット状の開口として形成してある。
【００２４】
上記のような連通口１４や挿入阻止部１５や傾斜面１６を設けたシャッター板１７によって誤挿入防止機構６を形成することができるものであり、このものにあって、通常時は図５（ａ）（ｂ）のように挿入阻止部１５が上のカード挿入口２の背方に位置しているので、カード挿入口２は挿入阻止部１５で閉じられている。この上のカード挿入口２には２種類のカード４，５のいずれも挿入可能であるが、カード挿入口２にカード５を誤って挿入しようとしても、挿入阻止部１５で阻止されて挿入することができない。一方、下のカード挿入口３には２種類のカード４，５のうち、カード５しか奥まで差し込むことができないので、カード挿入口３に誤ってカード４を差し込むおそれはない。
【００２５】
従って、端末機１に２種類のカード４，５を挿着するにあたっては、まず下のカード挿入口３にカード５を挿入する。下のカード挿入口３にカード５を挿入すると、カード５の先端がカード挿入口３の背方に位置しているシャッター板１７の傾斜面１６に当接し、カード５の先端で傾斜面１６が押圧される。このように傾斜面１６が押圧されると、傾斜面１６によってシャッター板１７が押し上げられ、傾斜面１６は下のカード挿入口３の背方位置から上方へ移動して図６（ａ）（ｂ）のようにカード５を端末機１内に差し込むことができ、下のカード挿入口３に対応して端末機１内に設けられているコネクター４４にカード５を接続することができる。そしてこのようにシャッター板１７が上方へ移動すると、シャッター板１７の上端部の挿入阻止部１５が上のカード挿入口３より上方へ移動して、図６（ａ）（ｂ）に示すように挿入阻止部１１が上のカード挿入口２の背方位置から上方へ退避すると共に連通口１４がカード挿入口２と合致し、カード挿入口２が開放される。２種類のカード４，５のうちカード５は既に下のカード挿入口３に差し込んでいるので、残ったカード４を上のカード挿入口２に挿入して端末機１に差込み、上のカード挿入口２に対応して端末機１内に設けられているコネクター４３にカード４を接続することができる。このようにして、２種類のカード４，５のうち、カード４は上のカード挿入口２に、カード５は下のカード挿入口３に、誤挿入することなく挿入することができるものである。
【００２６】
図７は請求項５の発明の実施の形態の一例を示すものである。図５、図６のものでは、シャッター板１７は図６のように押し上げられた状態から、自重で図５のように下動して復帰するようになっているが、図７のものではシャッター板１７の上端と端末機１のハウジング４０の下面との間にコイルスプリングなどで形成されるバネ１８が取り付けてある。そしてシャッター板１７は、押し上げられた状態からバネ１８に付勢されて下動し、挿入阻止部１５で上のカード挿入口２を閉じると共に連通口１４が上下のカード挿入口２，３の間に位置する状態に強制復帰されるものであり、シャッター板１７の動作が確実になるものである。その他の構成は図５、図６のものと同じである。
【００２７】
図８は請求項６の発明の実施の形態の一例を示すものである。図７のものはシャッター板１７と別体のバネ１８を用いてシャッター板１７を強制復帰させるようにしたが、図８のものではシャッター板１７を樹脂成形品で作製すると共にこの成形の際に同時にバネ片１９をシャッター板１７の上端に一体に設けるようにしてある。バネ片１９はシャッター板１７の上端の両端に斜め上方へ突出させて設けてあり、バネ片１９を端末機１のハウジング４０の下面に弾接させてある。そしてシャッター板１７は、押し上げられた状態からバネ片１９に付勢されて下動し、挿入阻止部１５で上のカード挿入口２を閉じると共に連通口１４が上下のカード挿入口２，３の間に位置する状態に強制復帰されるものであり、シャッター板１７の動作が確実になるものである。その他の構成は図７のものと同じである。
【００２８】
図９乃至図１１は請求項７及び請求項８の発明の実施の形態の一例を示すものであり、カード挿入口２，３の後側においてハウジング４０の内面に、カード挿入口２，３の両端部位置において端部シャッター板２２が左右方向（カード挿入口２，３の長手方向と平行）にスライド移動自在に配設してある。端部シャッター板２２は図９のカード挿入口２，３の端部の背方に位置する状態と、図１０のカード挿入口２，３の端部より側方に位置する状態との間でスライドするものであり、バネ２３で内方へ付勢させることによって、カード挿入口２，３の端部の背方の位置に強制復帰させることができるようにしてある。バネ２３を端末機１のハウジング４０の内面やハウジング４０内に設けた仕切り壁（図示省略）などに弾接させることによって、端部シャッター板２２をスライド付勢させるようにしてある。端部シャッター板２２の上のカード挿入口２に対応する上部は挿入阻止部２０として形成してあり、この挿入阻止部２０の前面はカード４の挿入方向と垂直な面に形成してある。また端部シャッター板２２の下のカード挿入口３に対応する下部の前面は図１１に示すように内側へ向けカード５の挿入方向側へ傾斜する、すなわち内側程後方へ変位する傾斜面２１に形成してある。この傾斜面２１はＣ面取り状に形成する他、Ｒ面取り状に形成してもよい。
【００２９】
上記のような挿入阻止部２０や傾斜面２１を設けた端部シャッター板２２によって誤挿入防止機構６を形成することができるものであり、このものにあって、通常時は図９（ａ）（ｂ）のように挿入阻止部２０が上のカード挿入口２の端部の背方に位置しているので、カード挿入口２は挿入阻止部２０で閉じられている。この上のカード挿入口２には２種類のカード４，５のいずれも挿入可能であるが、カード挿入口２にカード５を誤って挿入しようとしても、挿入阻止部２０で阻止されて挿入することができない。一方、下のカード挿入口３には２種類のカード４，５のうち、カード５しか奥まで差し込むことができないので、カード挿入口３に誤ってカード４を差し込むおそれはない。
【００３０】
従って、端末機１に２種類のカード４，５を挿着するにあたっては、まず下のカード挿入口３にカード５を挿入する。下のカード挿入口３にカード５を挿入すると、カード５の先端の側端部がカード挿入口３の端部の背方に位置している端部シャッター板２２の傾斜面２１に当接し、カード５の先端で傾斜面２１が押圧される。このように傾斜面２１が押圧されると、傾斜面２１によって端部シャッター板２２が外側方へ横に押され、傾斜面２１は下のカード挿入口３の端部の背方位置から側方へ移動して図１０（ａ）（ｂ）のようにカード５を端末機１内に差し込むことができ、下のカード挿入口３に対応して端末機１内に設けられているコネクター４４にカード５を接続することができる。そしてこのように端部シャッター板２２が外側方へ移動すると、端部シャッター板２２の上部の挿入阻止部２０が上のカード挿入口３より外側方へ移動して、図１０（ａ）（ｂ）に示すように挿入阻止部２０が上のカード挿入口２の端部の背方位置から外側方へ退避し、カード挿入口２が開放される。２種類のカード４，５のうちカード５は既に下のカード挿入口３に差し込んでいるので、残ったカード４を上のカード挿入口２に挿入して端末機１に差込み、上のカード挿入口２に対応して端末機１内に設けられているコネクター４３にカード４を接続することができる。このようにして、２種類のカード４，５のうち、カード４は上のカード挿入口２に、カード５は下のカード挿入口３に、誤挿入することなく挿入することができるものである。
【００３１】
図１２は請求項９の発明の実施の形態の一例を示すものである。図１０、図１１のものは端部シャッター板２２と別体のバネ２３を用いて端部シャッター板２２を強制復帰させるようにしたが、図１２のものでは端部シャッター板２２を樹脂成形品で作製すると共にこの成形の際に同時にバネ片２４を端部シャッター板２２の側端に一体に設けるようにしてある。バネ片２４は端部シャッター板２２の側端の上下両端に斜めに突出させて設けてあり、バネ片２４を端末機１のハウジング４０の内面やハウジング４０内に設けた仕切り壁（図示省略）などに弾接させてある。そして端部シャッター板２２は、カード挿入口２，３の側方へ移動させられた状態からバネ片２４に付勢されてカード挿入口２，３の端部の位置に移動し、挿入阻止部２０で上のカード挿入口２を閉じる状態に強制復帰されるものであり、端部シャッター板２２の動作が確実になるものである。その他の構成は図１０、図１１のものと同じである。
【００３２】
【発明の効果】
上記のように本発明は、前面に上下一対のカード挿入口を設け、各カード挿入口へ異なる種類のカードを挿入して挿着するようにした端末機において、一対のカード挿入口の一方のカード挿入口を閉じると共に他方のカード挿入口にカードが挿入されることによって一方のカード挿入口を開く誤挿入防止機構を設けるようにしたので、上記の他方のカード挿入口にカードが挿入されないと、上記の一方のカード挿入口にカードを挿入することができないようにすることができ、上記の一方のカード挿入口にカードを誤挿入することを防止することができるものである。
【００３３】
また請求項２の発明は、カード挿入口の後側において上下のカード挿入口の間の位置で上下回動自在に枢支される回動体と、枢支点より一方の端部寄りの位置において回動体に上下のカード挿入口のうち一方のカード挿入口の背方に突出させて設けられた挿入阻止板と、枢支点より他方の端部寄りの位置において回動体に他方のカード挿入口の背方に突出させて設けられ、前面に先端側へ向けカードの挿入方向側へ傾斜する傾斜面を設けた回動ガイド板とを具備して誤挿入防止機構を形成し、上記他方のカード挿入口に挿入されたカードの先端が回動ガイド板の傾斜面に当接することによって回動体が回動して挿入阻止板が上記一方のカード挿入口の背方位置から退避するようにしたので、上記の他方のカード挿入口にカードが挿入されないと、上記の一方のカード挿入口は挿入阻止板で閉じられていてカードを挿入することができないものであり、上記の一方のカード挿入口にカードを誤挿入することを防止することができるものである。
【００３４】
また請求項３の発明は、カード挿入口の後側において上下のカード挿入口の間の位置で上端部がカード挿入口の側へ倒れるように起倒回動自在に立直状態で枢支され、上下の端部のうち一方の端部に上下のカード挿入口のうち一方のカード挿入口の背方に突出する挿入阻止部を設けると共に他方の端部に他方のカード挿入口の背方に突出する押圧部を設けたレバー板で誤挿入防止機構を形成し、上記他方のカード挿入口に挿入されたカードの先端がレバー板の押圧部に当接することによってレバー板が回動して挿入阻止部が上記一方のカード挿入口の背方位置から退避するようにしたので、上記の他方のカード挿入口にカードが挿入されないと、上記の一方のカード挿入口はレバー板の挿入阻止部で閉じられていてカードを挿入することができないものであり、上記の一方のカード挿入口にカードを誤挿入することを防止することができるものである。
【００３５】
また請求項４の発明は、カード挿入口の後側において上下方向に移動自在に配設され、上下方向の中央部に連通口が、上下の端部のうち一方の端部に上下のカード挿入口のうち一方のカード挿入口の背方に突出する挿入阻止部が、他方のカード挿入口の背方に突出する他方の端部の前面に先端側へ向けカードの挿入方向側へ傾斜する傾斜面がそれぞれ設けられたシャッター板で誤挿入防止機構を形成し、上記他方のカード挿入口に挿入されたカードの先端がシャター板の傾斜面に当接することによってシャッター板が上下方向に移動して、挿入阻止部が上記一方のカード挿入口から退避すると共に連通口がこの一方のカード挿入口の背方に位置するようにしたので、上記の他方のカード挿入口にカードが挿入されないと、上記の一方のカード挿入口はシャッター板の挿入阻止部で閉じられていてカードを挿入することができないものであり、上記の一方のカード挿入口にカードを誤挿入することを防止することができるものである。
【００３６】
また請求項５の発明は、上下方向に移動したシャッター板を連通口が上下のカード挿入口の間に位置するように復帰させるバネをシャッター板に設けたので、バネの付勢力でシャッター板を強制復帰させることができ、シャッター板の動作が確実になるものである。
また請求項６の発明は、上下方向に移動したシャッター板を連通口が上下のカード挿入口の間に位置するように復帰させるバネ片をシャッター板に一体に設けたので、バネ片の付勢力でシャッター板を強制復帰させることができ、シャッター板の動作が確実になるものである。
【００３７】
また請求項７の発明は、カード挿入口の後側において上下のカード挿入口の端部に横方向に移動自在に配設され、上下の端部のうち一方の端部に上下のカード挿入口のうち一方のカード挿入口の背方に位置する挿入阻止部を設けると共に他方のカード挿入口の背方に位置する他方の端部の前面に内側へ向けカードの挿入方向側へ傾斜する傾斜面を設けた端部シャッター板で誤挿入防止機構を形成し、上記他方のカード挿入口に挿入されたカードの先端の角部が端部シャッター板の傾斜面に当接することによって端部シャッター板がカード挿入口の側方へ移動して挿入阻止部が上記一方のカード挿入口の背方位置から退避するようにしたので、上記の他方のカード挿入口にカードが挿入されないと、上記の一方のカード挿入口は端部シャッター板の挿入阻止部で閉じられていてカードを挿入することができないものであり、上記の一方のカード挿入口にカードを誤挿入することを防止することができるものである。
【００３８】
また請求項８の発明は、カード挿入口の側方へ移動した端部シャッター板を上下のカード挿入口の端部位置に復帰させるバネを端部シャッター板に設けたので、バネの付勢力で端部シャッター板を強制復帰させることができ、シャッター板の動作が確実になるものである。
また請求項９の発明は、カード挿入口の側方へ移動した端部シャッター板を上下のカード挿入口の端部位置に復帰させるバネ片を端部シャッター板に一体に設けたので、バネ片の付勢力で端部シャッター板を強制復帰させることができ、シャッター板の動作が確実になるものである。
【図面の簡単な説明】
【図１】請求項２の発明の実施の形態の一例を示すものであり、（ａ）は正面図、（ｂ）は断面図である。
【図２】請求項２の発明の実施の形態の一例を示すものであり、（ａ）は正面図、（ｂ）は断面図である。
【図３】請求項３の発明の実施の形態の一例を示すものであり、（ａ）は正面図、（ｂ）は断面図である。
【図４】請求項３の発明の実施の形態の一例を示すものであり、（ａ）は正面図、（ｂ）は断面図である。
【図５】請求項４の発明の実施の形態の一例を示すものであり、（ａ）は正面図、（ｂ）は断面図である。
【図６】請求項４の発明の実施の形態の一例を示すものであり、（ａ）は正面図、（ｂ）は断面図である。
【図７】請求項５の発明の実施の形態の一例を示すものであり、（ａ）は正面図、（ｂ）は断面図である。
【図８】請求項６の発明の実施の形態の一例を示すものであり、（ａ）は正面図、（ｂ）は断面図である。
【図９】請求項７の発明の実施の形態の一例を示すものであり、（ａ）は正面図、（ｂ）は断面図である。
【図１０】請求項７の発明の実施の形態の一例を示すものであり、（ａ）は正面図、（ｂ）は断面図である。
【図１１】請求項７の発明に用いる端部シャッター板の実施の形態の一例を示す拡大した斜視図である。
【図１２】請求項８の発明の実施の形態の一例を示すものであり、（ａ）は正面図、（ｂ）は断面図である。
【図１３】端末機を示すものであり、（ａ），（ｂ）はそれぞれ斜視図である。
【図１４】一方のカードを示すものであり、（ａ）は斜視図、（ｂ）は（ａ）のＡ矢視図である。
【図１５】他方のカードを示すものであり、（ａ）は斜視図、（ｂ）は（ａ）のＡ矢視図である。
【図１６】（ａ）は端末機内の一方のカードが挿着されるカード挿着部を示す断面図、（ｂ）は端末機内の他方のカードが挿着されるカード挿着部を示す断面図である。
【符号の説明】
１  端末機
２  カード挿入口
３  カード挿入口
４  カード
５  カード
６  誤挿入防止機構
７  回動体
８  挿入阻止板
９  傾斜面
１０  回動ガイド板
１１  挿入阻止部
１２  押圧部
１３  レバー板
１４  連通口
１５  挿入阻止部
１６  傾斜面
１７  シャッター板
１８  バネ
１９  バネ片
２０  挿入阻止部
２１  傾斜面
２２  端部シャッター板
２３  バネ
２４  バネ片
【図１】
0003702636.tif 000002
【図２】
0003702636.tif 000003
【図３】
0003702636.tif 000004
【図４】
0003702636.tif 000005
【図５】
0003702636.tif 000006
【図６】
0003702636.tif 000007
【図７】
0003702636.tif 000008
【図８】
0003702636.tif 000009
【図９】
0003702636.tif 000010
【図１０】
0003702636.tif 000011
【図１１】
0003702636.tif 000012
【図１２】
0003702636.tif 000013
【図１３】
0003702636.tif 000014
【図１４】
0003702636.tif 000015
【図１５】
0003702636.tif 000016
【図１６】
0003702636.tif 000017